(57)【要約】【課題】フィルタケースを支持すると共にフィルタケースの溶着の間において異物の発生を防止する流体フィルタを提供する。【解決手段】流体が通過する濾材（１３４）と、濾材（１３４）を保持する保持部材（１３３）を含むフィルタエレメント（１３）と、フィルタエレメント（１３）を収容すると共にフィルタエレメント（１３）に対して一方側に位置決めされて流体が流入する流入口（１１１ａ）及びフィルタエレメント（１３）に対して他方側に位置決めされて流体が流出する流出口（１２１ａ）を有するフィルタケース（１１、１２）と、保持部材（１３３）とフィルタケース（１１、１２）との間に延びる支持部材（１１１ｂ、１２１ｂ）とを含み、支持部材（１１１ｂ、１２１ｂ）はフィルタケース（１１、１２）及び保持部材（１３３）の一方とスペース（Ｓ）を介在して向き合う。【選択図】図３
2008253896.tif 000002
【特許請求の範囲】
【請求項１】
流体が通過する濾材と、前記濾材を保持する保持部材を含むフィルタエレメントと、
前記フィルタエレメントを収容すると共に前記フィルタエレメントに対して一方側に位置決めされて流体が流入する流入口及び前記フィルタエレメントに対して他方側に位置決めされて流体が流出する流出口を有するフィルタケースと、
前記保持部材と前記フィルタケースとの間に延びる支持部材とを含み、
前記支持部材は前記フィルタケース及び前記保持部材の一方とスペースを介在して向き合う流体フィルタ。
【請求項２】
前記支持部材は前記フィルタケースから前記保持部材へ向かって延びる請求項１に記載の流体フィルタ。
【請求項３】
前記支持部材は前記保持部材から前記フィルタケースへ向かって延びる請求項１に記載の流体フィルタ。
【発明の詳細な説明】
【技術分野】
【０００１】
本発明は、例えば、自動変速機に適用される流体フィルタに関する。
【背景技術】
【０００２】
関連のオイルフィルタは、濾材を収容すると共に組み合わされた二つの割り片を有するフィルタケースと、フィルタケースに濾材を保持するリブと、ケースから延びてリブに接触する突起を含む。
【０００３】
オイルは、フィルタケースの流入口から流入し、濾材を通って、フィルタケースの流出口から流出する。
【０００４】
【特許文献１】特開２００４―３５３７８３号公報
【発明の開示】
【発明が解決しようとする課題】
【０００５】
フィルタケースに負圧が加わったとき、フィルタケースは内側に撓もうとする。このとき、突起はフィルタケースを支持し、フィルタケースの撓みを防止する。
【０００６】
一方、フィルタケースの割り片同士を振動溶着する間に、突起とフィルタケースとが摩擦によって磨耗し、これにより、異物（バリ）を発生させる。
【０００７】
そこで、本発明の目的は、フィルタケースを支持すると共にフィルタケースの溶着の間において異物の発生を防止する流体フィルタを提供することである。
【課題を解決するための手段】
【０００８】
以下、符号を参照して発明の特徴を説明する。なお、符号は参照のためであり、発明の特徴は実施の形態に限定されない。
【０００９】
本発明の特徴は、次の要素を含む流体フィルタ（１）である。同フィルタは、流体が通過する濾材（１３４）と、濾材（１３４）を保持する保持部材（１３３）を含むフィルタエレメント（１３）を含む。同フィルタは、フィルタエレメント（１３）を収容すると共にフィルタエレメント（１３）に対して一方側に位置決めされて流体が流入する流入口（１１１ａ）及びフィルタエレメント（１３）に対して他方側に位置決めされて流体が流出する流出口（１２１ａ）を有するフィルタケース（１１、１２）を含む。同フィルタは、保持部材（１３３）とフィルタケース（１１、１２）との間に延びる支持部材（１１１ｂ、１２１ｂ）とを含む。支持部材（１１１ｂ、１２１ｂ）はフィルタケース（１１、１２）及び保持部材（１３３）の一方とスペース（Ｓ）を介在して向き合う。
【００１０】
支持部材（１１１ｂ、１２１ｂ）はフィルタケース（１１、１２）から保持部材（１３３）へ向かって延びる。
【００１１】
支持部材（１３５、１３６）は保持部材（１３３）からフィルタケース（１２Ｆ、１２Ｇ、１１Ｆ、１１Ｇ）へ向かって延びる。
【発明の効果】
【００１２】
以上の発明の特徴によれば、流体が流入口からフィルタケース内に流入し、濾材を通過して、流出口からフィルタケースの外へ流れ出る。
【００１３】
さらに、流体の流速が大きくなり、フィルタケースに負圧が加わると、フィルタケースは内側へ撓もうとする。このとき、支持部材は保持部材及びフィルタケースの一方と当たり、フィルタケースを支持する。
【００１４】
また、フィルタケースを溶着する間に、フィルタケースと支持部材とはスペースを介在して向き合うので、両者の間に摩擦を生じることなく、異物の発生を防止する。
【発明を実施するための最良の形態】
【００１５】
以下、図面を参照して実施の形態を詳細に説明する。
【００１６】
第１の実施形態
図１を参照して、オイルフィルタ１は、フィルタケースとしてのケース１１と、ケース１１と接合したフィルタケースとしてのカバー１２と、ケース１１とカバー１２との間に配置されたフィルタエレメント１３とを含む。
【００１７】
図２、３を参照して、矩形のケース１１は、底壁１１１と、底壁１１１の外周から上方へ延びる側壁１１２と、側壁１１２の先端から外方へ延びるフランジ１１３とを含む。底壁１１１は、オイルが流入するための流入口１１１ａを有する。底壁１１１は、長手方向に直列に配置された支持部材としての矩形の支持壁１１１ｂを有する。
【００１８】
カバー１２は、頂壁１２１と、頂壁１２１から下方へ延びる側壁１２２と、側壁１２２の先端から外方へ延びるフランジ１２３を含む。頂壁１２１は流出口１２１ａを有する。頂壁１２１は長手方向に直列に配列された支持部材としての矩形の支持壁１２１ｂを有する。
【００１９】
フィルタエレメント１３は、外枠１３１と、外枠１３１から外方へ延びるフランジ１３２と、外枠１３２を横断するように長手方向に延びる保持部材としてのリブ１３３と、外枠１３２内に収容されると共にリブ１３３によって保持された濾材１３４を含む。ここで、フランジ１３２は、ケース１１のフランジ１１３とカバー１２のフランジ１２３の間に挟まれる。濾材１３４は、例えば、濾過用の不織布、濾紙等のシートである。このシートは、折り返されて波形に成形される。
【００２０】
ここで、支持壁１１１ｂ、１２１ｂ及びリブ１３３は、平面視において流入口１１１ａと流出口１２１ａとを結ぶ直線と同一直線上に配置される。よって、支持壁１１１ｂ、１２１ｂは横方向の位置ついてリブ１３３と重なる。また、支持壁１１１ｂ、１２１ｂはスペースＳを介在してリブ１３３と向き合う。
【００２１】
次に、ケース１１とカバー１２との接合方法を説明する。
【００２２】
図２を参照して、フィルタエレメント１３を介在して、ケース１１のフランジ１１３とカバー１２のフランジ１２３と合わせる。フランジ１１３、１２３同士を振動させ、フランジ１１３、１２３を互いに摺動させ、溶着させる。このとき、支持壁１１１ｂ、１２１ｂは、スペースＳを介在してリブ１３３と向き合うので、支持壁１１ｂ、１２１ｂとリブ１３３とはその間に摩擦を生じることなく、異物の発生を防止する。なお、振動溶着の代わりに、超音波溶着、熱溶着を用いてもよい。
【００２３】
次に、オイルフィルタ１の作用を説明する。
【００２４】
例えば、オイルが自動車変速機から流れ出て、流入口１１１ａからケース１１内へ注入される。オイルは、ケース１１内の濾材１３４のダストサイドに流入し、濾材１３４を通過する。このとき、濾材１３４はオイルの異物を捕集し、オイルから異物を取り除く。オイルは濾材１３４のクリーンサイドへ浸透し、カバー１２内に流入する。オイルは流出口１２１ａから流れて出て、自動変速機内へ戻る。
【００２５】
ここで、支持壁１１１ｂ、１２１ｂは流入口１１１ａから流出口１２１ａへオイルを長手方向に案内する。支持壁１１１ｂ、１２１ｂ及びリブ１３３の間のスペースＳは、オイルの通過を許容し、オイルの流路を確保し、ケース１１及びカバー１２の流動性能を向上させる。
【００２６】
さらに、オイルの流速が大きくなり、ケース１１及びカバー１２内に負圧が加わると、ケース１１の底壁１１１及びカバー１２の頂壁１２１が内側へ撓むように変形する。このとき、支持壁１１１ｂ、１２１ｂはリブ１３３に当たり、ケース１１の底壁１１１及びカバー１２の頂壁１２１を支持する。
【００２７】
第２の実施形態
以下、同様の部材には同様の符号を付して、説明を省略する。
【００２８】
図４、５を参照して、オイルフィルタ１Ａを説明する。
【００２９】
ケース１１Ａは平面視において流入口１１１ａと流出口１２１ａとを結ぶ直線に対して斜めに延びる支持部材としての支持壁１１１ｃを含む。
【００３０】
カバー１２Ａは、平面視において流入口１１１ａと流出口１２１ａとを結ぶ直線に対して斜めに延びる支持部材として支持壁１２１ｃを含む。横方向に配列された一対の支持壁１２１ｃは流入口１１１ａから流出口１１２ａへ向かって互いに近づく。
【００３１】
フィルタエレメント１３Ａは、長手方向に二列に延びるリブ１３３を含む。リブ１３３と支持壁１１１ｃ、１２１ｃとは横方向の位置について重なる。
【００３２】
ここで、支持壁１１１ｃ、１２１ｃはリブ１３３から離れ、スペースＳを介在してリブ１３３と向き合う。
【００３３】
以上のオイルフィルタ１Ａによれば、ケース１１Ａとカバー１２Ａとの溶着の間に、支持壁１１１ｃ、１２１ｃはスペースＳを介在してリブ１３３と向き合うので、異物の発生を防止する。
【００３４】
スペースＳは、オイルの通過を許容し、オイル流路を確保する。
【００３５】
支持壁１１１ｃ、１２１ｃは、負圧時にリブ１３３に当たって、ケース１１Ａの底壁１１１及びカバー１２Ａの頂壁１２１を支持する。
【００３６】
支持壁１１１ｃ、１２１ｃは、平面視において流入口１１１ａと流出口１２１ａとを結ぶ直線に対して斜めにオイルを導き、前記直線付近にオイルを集めながら、流入口１１１ａから流出口１２１ａへオイルを導く。
【００３７】
第３の実施形態
図６、７を参照して、オイルフィルタ１Ｂを説明する。
【００３８】
ケース１１Ｂは、底壁１１１から上方へ延びると共に長手方向に配列された支持部材としての棒状の支持突起１１１ｄを含む。カバー１２Ｂは、頂壁１２１から下方へ延びると共に長手方向に配列された支持部材としての棒状の支持突起１２１ｄを含む。
【００３９】
ここで、支持突起１１１ｄ、１２１ｄ及びリブ１３３は、平面視において流入口１１１ａと流出口１２１ａとを結ぶ直線上に配置される。よって、支持突起１１１ｄ、１２１ｄ及びリブ１３３は、横方向の位置について重なる。リブ１３３及び支持突起１１１ｄ、１２１ｄは、スペースＳを介在して向き合う。
【００４０】
以上のオイルフィルタ１Ｂによれば、ケース１１Ｂとカバー１２Ｂとの溶着の間に、支持突起１１１ｄ、１２１ｄはスペースＳを介在してリブ１３３と向き合うので、異物の発生を防止する。
【００４１】
スペースＳは、オイルの通過を許容し、オイルの流路を確保する。
【００４２】
また、支持突起１１１ｄ、１２１ｄは、負圧時にリブ１３３に当たってケース１１Ｂの底壁１１１及びカバー１２Ｂの頂壁１２１を支持する。
【００４３】
第４の実施形態
図８、９を参照して、オイルフィルタ１Ｃを説明する。
【００４４】
ケース１１Ｃは、底壁１１１から上方へ延びると共に長手方向に配置された支持部材としての支持円柱１１１ｅを含む。支持円柱１１１ｅは、底壁１１１の表面から凹んだ凹所１１１ｅ１を有する。
【００４５】
カバー１２Ｃは、頂壁１２１から下方へ延びると共に長手方向に配置された支持部材としての支持円柱１２１ｅを含む。支持円柱１１１ｅは、頂壁１２１の表面から凹んだ凹所１２１ｅ１を有する。
【００４６】
ここで、支持円柱１１１ｅ、１２１ｅ及びリブ１３３は、平面視において流入口１１１ａと流出口１２１ａとを結ぶ直線上に配置される。よって、支持円柱１１１ｅ、１２１ｅ及びリブ１３３は、横方向の位置について重なる。また、支持円柱１１１ｅ、１２１ｅ及びリブ１３３は、スペースＳを介在して向き合う。
【００４７】
以上のオイルフィルタ１Ｃによれば、ケース１１Ｃとカバー１２Ｃとの溶着の間に、支持円柱１１１ｅ、１２１ｅはスペースＳを介在してリブ１３３と向き合うので、異物の発生を防止する。
【００４８】
スペースＳは、オイルの通過を許容し、オイルの流路を確保する。
【００４９】
支持円柱１１１ｄ、１２１ｄは、負圧時にリブ１３３に当たってケース１１Ｃの底壁１１１及びカバー１２Ｃの頂壁１２１を支持する。
【００５０】
支持円柱１１１ｅ、１２１ｅの凹所１１１ｅ１、１２１ｅ１は、ケース１１Ｃの底壁１１及びカバー１２Ｃの頂壁１２１から凹んでいるので、他の部材との接触を防止する。
【００５１】
第５の実施形態
図１０、１１を参照して、オイルフィルタ１Ｄを説明する。
【００５２】
ケース１１Ｄは、底壁１１１に二列に配置されると共に長手方向に延びる支持部材としての支持体１１１ｆを含む。支持体１１１ｆは、所定の間隔で配置された支持壁１１１ｆ１と、支持壁１１１ｆ１の間に延びる連結壁１１１ｆ２とを含む。カバー１２Ｄは、頂壁１２１に二列に配置されると共に長手方向に延びる支持部材としての支持体１２１ｆを含む。支持体１２１ｆは、所定の間隔で配置された支持壁１２１ｆ１と、支持壁１２１ｆ１の間に延びる連結壁１２１ｆ２とを含む。
【００５３】
ここで、支持体１１１ｆ、１２１ｆ及びリブ１３３は、平面視において流入口１１１ａと流出口１２１ａとを結ぶ直線と平行に配置される。よって、ケース１１Ｄ及びカバー１２Ｄの支持壁１１１ｆ１、１２１ｆ１とリブ１３３とは、横方向の位置について重なる。また、ケース１１Ｄ及びカバー１２Ｄの支持壁１１１ｆ１、１２１ｆ１とリブ１３３とは、スペースＳを介在して向き合う。
【００５４】
以上のオイルフィルタ１Ｄによれば、ケース１１Ｄとカバー１２Ｄとの溶着の間に、支持壁１１１ｆ１、１２１ｆ１はスペースＳを介在してリブ１３３と向き合うので、異物の発生を防止する。
【００５５】
スペースＳは、オイルの通過を許容し、オイルの流路を確保する。
【００５６】
また、支持壁１１１ｆ１、１２１ｆ１は、負圧時にリブ１３３に当たってケース１１Ｄの底壁１１１及びカバー１２Ｄの頂壁１２１を支持する。
【００５７】
第６の実施形態
図１２、１３を参照して、オイルフィルタ１Ｅを説明する。
【００５８】
ケース１１Ｅは、底壁１１１に二列に配置されると共に長手方向に延びる支持部材としての支持体１１１ｆを含む。支持体１１１ｆは、所定の間隔で配置された支持壁１１１ｆ１と、支持壁１１１ｆ１の間に延びる連結壁１１１ｆ２とを含む。ケース１１Ｅは、底壁１１１に配置されると共に連結壁１１１ｆ２に交差するように横方向に延びるリブ１１１ｇを含む。カバー１２Ｅは、頂壁１２１に二列に配置されると共に長手方向に延びる支持部材としての支持体１２１ｆを含む。支持体１２１ｆは、所定の間隔で配置された支持壁１２１ｆ１と、支持壁１２１ｆ１の間に延びる連結壁１２１ｆ２とを含む。カバー１２Ｅは、頂壁１２１に配置されると共に連結壁１２１ｆ２に交差するように横方向に延びるリブ１２１ｇを含む。
【００５９】
ここで、支持体１１１ｆ、１２１ｆ及びリブ１３３は、平面視において流入口１１１ａと流出口１２１ａとを結ぶ直線と平行に配置される。よって、ケース１１Ｅ及びカバー１２Ｅの支持壁１１１ｆ１、１２１ｆ１とリブ１３３とは、横方向の位置について重なる。また、ケース１１Ｅ及びカバー１２Ｅの支持壁１１１ｆ１、１２１ｆ１とリブ１３３とは、スペースＳを介在して向き合う。
【００６０】
以上のオイルフィルタ１Ｅによれば、ケース１１Ｅとカバー１２Ｅとの溶着の間に、支持壁１１１ｆ１、１２１ｆ１はスペースＳを介在してリブ１３３と向き合うので、異物の発生を防止する。
【００６１】
スペースＳは、オイルの通過を許容し、オイルの流路を確保する。
【００６２】
また、支持壁１１１ｆ１、１２１ｆ１は、負圧時にリブ１３３に当たってケース１１Ｅの底壁１１１及びカバー１２Ｅの頂壁１２１を支持する。
【００６３】
リブ１１１ｇ、１２１ｇは、負圧時に変形したケース１１Ｅ及びカバー１２Ｅを支持する。
【００６４】
第７の実施形態
図１４、１５を参照して、オイルフィルタ１Ｆを説明する。
【００６５】
リブ１３３は、上端及び下端に位置決めされると共に長手方向に配列された支持部材としての棒状の上及び下突起１３５、１３６を有する。
【００６６】
ここで、上及び下突起１３５、１３６は、平面視において流入口１１１ａと流出口１２１ａとを結ぶ直線上に配置される。上突起１３５は、カバー１２Ｆの頂壁１２１と所定のスペースＳを介在して向き合う。下突起１３６は、ケース１１Ｆの底壁１１１と所定のスペースＳを介在して向き合う。
【００６７】
以上のオイルフィルタ１Ｆによれば、ケース１１Ｆとカバー１２Ｆとの溶着の間に、上突起１３５及び下突起１３６は、それぞれ、スペースＳを介在して頂壁１２１、底壁１１１と向き合うので、異物の発生を防止する。
【００６８】
スペースＳは、オイルの通過を許容し、オイルの流路を確保する。
【００６９】
上突起１３５及び下突起１３６は、負圧時に、それぞれカバー１２Ｆの頂壁１２１、ケース１１Ｆの底壁１１１に当たって、カバー１２Ｆ及びケース１１Ｆを支持する。
【００７０】
第８の実施形態
図１６、１７を参照して、オイルフィルタ１Ｇを説明する。
【００７１】
リブ１３３は、上端及び下端に配置されると共に長手方向に配列された支持部材としての棒状の上及び下突起１３５、１３６を有する。ケース１１Ｇは、底壁１１１に配置されると共に長手方向に配列された支持部材として円柱１１１ｈを有する。それぞれの円柱１１１ｈは、対応する下突起１３６と重なるように位置決めされる。カバー１２Ｇは、頂壁１２１に配置されると共に長手方向に配列された支持部材としての円柱１２１ｈを有する。円柱１２１ｈは、対応する上突起１３５と重なるように位置決めされる。
【００７２】
ここで、上及び下突起１３５、１３６は、平面視において流入口１１１ａと流出口１２１ａとを結ぶ直線上に配置される。上突起１３５は、円柱１２１ｈと所定のスペースＳを介在して向き合う。下突起１３６は、円柱１１１ｈと所定のスペースＳを介在して向き合う。
【００７３】
以上のオイルフィルタ１Ｇによれば、ケース１１Ｇとカバー１２Ｇとの溶着の間に、上突起１３５及び下突起１３６は、それぞれ、スペースＳを介在して円柱１２１ｈ、１１１ｈと向き合うので、異物の発生を防止する。
【００７４】
スペースＳは、オイルの通過を許容し、オイルの流路を確保する。
【００７５】
円柱１２１ｈ、１１１ｈは、負圧時に、それぞれ上突起１３５及び下突起１３６に当たって、カバー１２Ｇの頂壁１２１及びケース１１Ｇの底壁１１１を支持する。
【００７６】
なお、本発明は、実施の形態に限定されず、実施の形態の修正及び変更は発明の趣旨を逸脱しない範囲で可能である。
【図面の簡単な説明】
【００７７】
【図１】（ａ）は第１の実施形態に係わるオイルフィルタの斜視図であり、（ｂ）は同フィルタの側面図である。
【図２】（ｂ）は図１に示すオイルフィルタの分解上斜視図であり、（ｂ）は同フィルタの分解下斜視図である。
【図３】（ａ）は図１に示すオイルフィルタの断面図であり、（ｂ）は切り欠いた斜視図である。
【図４】（ａ）は第２の実施形態に係わるオイルフィルタの分解上斜視図であり、（ｂ）は同フィルタの分解下斜視図である。
【図５】（ａ）は図４に示すオイルフィルタの断面図であり、（ｂ）は切り欠いた斜視図である。
【図６】（ａ）は第３の実施形態に係わるオイルフィルタの分解上斜視図であり、（ｂ）は同フィルタの分解下斜視図である。
【図７】（ａ）は図６に示すオイルフィルタの断面図であり、（ｂ）は同フィルタの切り欠いた斜視図である。
【図８】（ａ）は第４の実施形態に係わるオイルフィルタの分解上斜視図であり、（ｂ）は同フィルタの分解下斜視図である。
【図９】（ａ）は図８に示すオイルフィルタの断面図であり、（ｂ）は同フィルタの切り欠いた斜視図である。
【図１０】（ａ）は第５の実施形態に係わるオイルフィルタの分解上斜視図であり、（ｂ）は同フィルタの分解下斜視図である。
【図１１】（ａ）は図１０に示すオイルフィルタの断面図であり、（ｂ）は同フィルタの切り欠いた斜視図である。
【図１２】（ａ）は第６の実施形態に係わるオイルフィルタの分解上斜視図であり、（ｂ）は同フィルタの分解下斜視図である。
【図１３】（ａ）は図１２に示すオイルフィルタの断面図であり、（ｂ）は同フィルタの切り欠いた斜視図である。
【図１４】（ａ）は第７の実施形態に係わるオイルフィルタの分解上斜視図であり、（ｂ）は同フィルタの分解下斜視図である。
【図１５】（ａ）は図１４に示すオイルフィルタの断面図であり、（ｂ）は同フィルタの切り欠いた斜視図である。
【図１６】（ａ）は第８の実施形態に係わるオイルフィルタの分解上斜視図であり、（ｂ）は同フィルタの分解下斜視図である。
【図１７】（ａ）は図１５に示すオイルフィルタの断面図であり、（ｂ）は同フィルタの切り欠いた斜視図である。
【符号の説明】
【００７８】
１        オイルフィルタ
１１      ケース
１１１ａ  流入口
１１１ｂ  支持壁
１２      カバー
１２１ａ  流出口
１２１ｂ  支持壁
１３      フィルタエレメント
１３３    リブ
１３４    濾材
【図１】
2008253896.tif 000003
【図２】
2008253896.tif 000004
【図３】
2008253896.tif 000005
【図４】
2008253896.tif 000006
【図５】
2008253896.tif 000007
【図６】
2008253896.tif 000008
【図７】
2008253896.tif 000009
【図８】
2008253896.tif 000010
【図９】
2008253896.tif 000011
【図１０】
2008253896.tif 000012
【図１１】
2008253896.tif 000013
【図１２】
2008253896.tif 000014
【図１３】
2008253896.tif 000015
【図１４】
2008253896.tif 000016
【図１５】
2008253896.tif 000017
【図１６】
2008253896.tif 000018
【図１７】
2008253896.tif 000019